(57)【要約】      （修正有）【課題】第１巻線と第２巻線との間に所定の沿面距離を確保することができるとともに、確実に第２次巻線を整列した巻線構造に巻回することができるフランジ付きボビンを用いた巻線部品を提供する。【解決手段】ボビンのフランジ部間の巻線部に巻回された第１巻線１０と、第１巻線の外周とフランジ部の外周面に絶縁層１１を間に介して巻回された第２巻線１２とを備える。第１巻線の引き出し線１０ａを挿通させるための溝部６が形成された一方のフランジ部の外周面に、巻線部から離間する方向に向けて漸次高さ寸法が小さくなる第１の傾斜面７と、第１の傾斜面から離間方向に向けて漸次高さ寸法が大きくなる第２の傾斜面８とにより縦断面視Ｖ字状の凹部９が全周にわたって形成される。第２巻線１２は、一方のフランジ部の凹部９に軸線方向の端１２ｂが配置されている。【選択図】図６
2016100345.tif 000002
【特許請求の範囲】
【請求項１】
巻線部の軸線方向両端部に上記軸線と直交する方向に突出するフランジ部が全周にわたって形成されたボビンと、このボビンの上記フランジ部間の巻線部に巻回された第１巻線と、この第１巻線の外周と上記フランジ部の外周面に絶縁層を間に介して巻回された第２巻線とを備え、一方の上記フランジ部に、上記第１巻線の引き出し線を挿通させるための溝部が形成されるとともに、
一方の上記フランジ部の外周面は、上記巻線部から離間する方向に向けて漸次高さ寸法が小さくなる第１の傾斜面と、この第１の傾斜面から上記離間方向に向けて漸次高さ寸法が大きくなる第２の傾斜面が全周にわたって形成されることにより、上記第１および第２の傾斜面間に縦断面視Ｖ字状の凹部が形成され、
上記第２巻線は、上記一方のフランジ部の上記凹部に１層目における上記軸線方向の端が配置されていることを特徴とするフランジ付きボビンを用いた巻線部品。
【請求項２】
上記溝部は、その底面が上記巻線部の外周面と連続するように形成されていることを特徴とする請求項１に記載のフランジ付きボビンを用いた巻線部品。
【請求項３】
上記第２の傾斜面は、上記軸線方向の長さ寸法が上記第１の傾斜面の上記軸線方向の長さ寸法よりも大きく形成されていることを特徴とする請求項１または２に記載のフランジ付きボビンを用いた巻線部品。
【発明の詳細な説明】
【技術分野】
【０００１】
本発明は、フランジ付きのボビンの巻線部に、第１巻線と第２巻線とが絶縁層を間に介して順次巻回されたフランジ付きボビンを用いた巻線部品に関するものである。
【背景技術】
【０００２】
図７は、ＬＥＤ照明等の各種の照明分野の電源モジュールに使用されるトランスに用いられるボビンを示すものである。
このボビンは、巻線部２０の軸線方向両端部に上記軸線と直交する方向に円板状に突出するフランジ部２１ａ、２１ｂが全周にわたって形成されるとともに、一方のフランジ部２１ａの外面に端子装着部２２が一体に形成され、この端子装着部２２に端子２３が植設された縦型のものである。
【０００３】
ここで、図７および図８に示すように、このトランスにおいては、上記ボビンのフランジ部２１ａ、２１ｂ間に１次巻線２４が巻き回されるとともに、その巻始めおよび巻き終りの引き出し線２４ａが一方のフランジ部２１ａに形成された溝部２５に挿通されて外部に引き出され、端子装着部２２の端子２３に接続されている。そして、この１次巻線２４およびフランジ部２１ａ、２１ｂの外周に絶縁テープ２６が巻回され、この絶縁テープ２６の外周に２次巻線２７が巻き回されている。
【０００４】
ところで、この種の電源モジュールに使用されるトランスにおいては、電球や直管内に組み込み可能になるように、小型かつ低背であることが要求されている。他方で、当該トランスにおいては、１次巻線２４の端部２４ａと２次巻線２７との間に、所定の沿面距離Ｌを確保する必要がある。
【０００５】
このため、従来、所定の沿面距離Ｌを確保することが難しい場合には、絶縁テープ２６に加えて、スペーサ等を挿入して1次巻線２４の端部２４ａと２次巻線２７とを離間させることにより沿面距離Ｌをより長くする等の対応が採られているが、部品点数が増加して製造コストが増加する等の問題点が生じていた。
【０００６】
そこで、下記特許文献１においては、図９に示すような、各フランジ３０、３１の各内壁面に段差３２、３３を形成し、段差３２に形成した引出溝３８に導かれた１次コイル３４の引出線３４ａと２次コイル３５との絶縁距離を確保するに際して、１次コイル３４の引出線３４ａを間に挟む段差３２上にテーパー面３６ａを有する突部３６を形成し、テーパー面３６ａに層間絶縁テープ３７の端部を立ち上がらせて２次コイル３５の端面３５ａを位置させることにより、端面３５ａをやや内側に引っ込めて１次側の引出線３４ａとの距離Ｌ１をとるようにした小型トランスが提案されている。
【先行技術文献】
【特許文献】
【０００７】
【特許文献１】特開平１０−１４４５３７号公報
【発明の概要】
【発明が解決しようとする課題】
【０００８】
しかしながら、上記構成からなる小型トランスにあっては、段差３２における引出溝３８の両側部分のみにテーパー面３６ａを有する突起３６を形成し、上記テーパー面３６上に、２次コイル２５の端面２５ａを位置させているために、当該端面２５ａにおける２次巻線の特に１層目における整列状態が不安定になり、この結果２次コイル２５を複数層にわたって整列させて巻回することが難しいという問題点があった。
【０００９】
本発明は、上記事情に鑑みてなされたものであり、第１巻線と第２巻線との間に所定の沿面距離を確保することができるとともに、確実に第２次巻線を整列した巻線構造に巻回することができ、これにより小型化および低背化を実現することが可能になるフランジ付きボビンを用いた巻線部品を提供することを課題とするものである。
【課題を解決するための手段】
【００１０】
上記課題を解決するため、請求項１に記載の発明は、巻線部の軸線方向両端部に上記軸線と直交する方向に突出するフランジ部が全周にわたって形成されたボビンと、このボビンの上記フランジ部間の巻線部に巻回された第１巻線と、この第１巻線の外周と上記フランジ部の外周面に絶縁層を間に介して巻回された第２巻線とを備え、一方の上記フランジ部に、上記第１巻線の引き出し線を挿通させるための溝部が形成されるとともに、一方の上記フランジ部の外周面は、上記巻線部から離間する方向に向けて漸次高さ寸法が小さくなる第１の傾斜面と、この第１の傾斜面から上記離間方向に向けて漸次高さ寸法が大きくなる第２の傾斜面が全周にわたって形成されることにより、上記第１および第２の傾斜面間に縦断面視Ｖ字状の凹部が形成され、上記第２巻線は、上記一方のフランジ部の上記凹部に１層目における上記軸線方向の端が配置されていることを特徴とするものである。
【００１１】
また、請求項２に記載の発明は、請求項１に記載の発明において、上記溝部は、その底面が上記巻線部の外周面と連続するように形成されていることを特徴とするものである。
【００１２】
さらに、請求項３に記載の発明は、請求項１または２に記載の発明において、上記第２の傾斜面は、上記軸線方向の長さ寸法が上記第１の傾斜面の上記軸線方向の長さ寸法よりも大きく形成されていることを特徴とするものである。
【発明の効果】
【００１３】
請求項１〜３のいずれかに記載の発明においては、第１巻線をボビンの巻線部の軸線方向両端部に形成したフランジ部間に巻回し、この第１巻線の外周からフランジ部にわたって絶縁層を介して第２巻線を巻回するとともに、第１巻線が引き出される溝部が形成された一方のフランジ部の外周面にＶ字状の凹部を全周にわたって形成し、この凹部に第２巻線の１層目における軸線方向の端、具体的には１層目の巻き始めの１ターン目あるいは当該第２巻線が１層のみである場合には最終ターンを配置している。
【００１４】
このため、第２巻線の１層目をきれいに整列させることができ、よって上記第２巻線が多層であっても、確実に整列した状態の巻線構造に巻回することができる。
しかも、第２巻線の上記軸線方向の端から漸次高さ寸法が大きくなる第２の傾斜面の上端部までの距離と、上記第２の傾斜面の上端部から第１巻線の引き出し線までの距離との和が沿面距離となるために、上記第２の傾斜面の長さ寸法を適宜設定することにより、容易に所定の沿面距離を確保することができる。
【図面の簡単な説明】
【００１５】
【図１】本発明の一実施形態に用いられるボビンを示すもので、（ａ）は正面図、（ｂ）は背面図、（ｃ）は側面図である。
【図２】図１（ａ）のＡ部の拡大図である。
【図３】図１のボビンに１次巻線を巻回した状態を示すもので、（ａ）は正面図、（ｂ）は要部を断面視した正面図である。
【図４】図３の外周に絶縁テープを巻回した状態を示すもので、（ａ）は正面図、（ｂ）は要部を断面視した正面図である。
【図５】図４の外周に２次巻線を巻回した状態を示すもので、（ａ）は正面図、（ｂ）は要部を断面視した正面図である。
【図６】図５（ａ）の要部の拡大図である。
【図７】従来のボビンを示す正面図である。
【図８】図７の要部を断面視した拡大図である。
【図９】従来の他のボビンを示すもので、（ａ）は平面図、（ｂ）は要部の縦断面図である。
【発明を実施するための形態】
【００１６】
図１〜図６は、本発明を、フランジ付きボビンを用いたトランスに適用した一実施形態を示すものである。
図１および図２は、このトランスに用いられている縦型のボビンの形状を示すもので、図中符号１がこのボビンの巻線部である。この巻線部１は、円筒状または角筒状に形成されたもので、その両端部には、径方向外方に円板状に突出するフランジ部２、３が全周にわたって形成されている。また、一方のフランジ部２の外面には、当該フランジ部２に連続して端子装着部４が一体に形成され、この端子装着部４に端子５が植設されている。
【００１７】
そして、一方のフランジ部２および端子装着部４には、巻線部１に巻回された１次巻線（第１巻線）の端部を端子５側へと引き出すための２条の溝部６が形成されている。ここで、溝部６は、その底面が巻線部１の外周面と連続するように形成されている。他方、端子装着部４には、溝部６の背面位置に２次巻線（第２巻線）の端部を端子５側へと引き出すための２条の溝部１３が形成されている。
【００１８】
さらに、上記フランジ部２の外周面は、巻線部１から離間する方向に向けて漸次高さ寸法が小さくなる第１の傾斜面７と、この第１の傾斜面７から上記離間方向に向けて漸次高さ寸法が大きくなる第２の傾斜面８が全周にわたって形成されている。
【００１９】
これにより、第１および第２の傾斜面７、８間には、縦断面視Ｖ字状をなす凹部９が形成されている。ちなみに、第２の傾斜面８は、上記軸線方向の長さ寸法が第１の傾斜面７よりも大きく形成されている。
【００２０】
そして、図３に示すように、ボビンの巻線部１に、１次巻線１０がフランジ部２、３間に位置するように巻回されて、その引き出し線１０ａが溝部６から端子装着部４の下面側に引き出されて端子５に絡げられている。また、図４に示すように、この１次巻線１０の外周とフランジ部２、３の外周面には、絶縁テープ（絶縁層）１１が巻き回されている。
【００２１】
そして、この絶縁テープ１１の外周に、図５に示すように、２次巻線（第２巻線）１２が複数層（図では、そのうちの１層目のみを示す。）巻回され、その引き出し線１２ａが端子装着部４に形成した溝部１３から端子５側に引き出されている。この２次巻線１２は、巻き始めの１ターン目１２ｂがフランジ部２の外周面に形成されている凹部９に配置されている。
【００２２】
以上の構成からなるフランジ付きボビンを用いたトランスにおいては、１次巻線１０をボビンの巻線部１のフランジ部２、３間に巻回し、この１次巻線１０の外周からフランジ部２、３にわたって絶縁テープ１１を巻回して、この絶縁テープ１１の外周に２次巻線１２を巻回するとともに、端子装着部４が一体形成された側のフランジ部２の外周面にＶ字状の凹部９を全周にわたって形成し、この凹部９に２次巻線１２の巻き始めの１ターン目１２ｂを配置している。
【００２３】
これにより、絶縁テープ１１の外周に巻回される２次巻線１２の１層目をきれいに整列させることができために、多層の２次巻線１２を確実に整列した状態の巻線構造に巻回することができる。
【００２４】
さらに、図６に示すように、２次巻線１２から１次巻線１０の引き出し線１０ａまでの沿面距離が、Ｌ２１（２次巻線１２の巻き始めの１ターン目１２ｂから漸次高さ寸法が大きくなる第２の傾斜面８の上端部までの距離）＋Ｌ２２（第２の傾斜面８の上端部から１次巻線１０の引き出し線１０ａまでの距離）になることに加えて、本実施形態においては、第２の傾斜面８の軸線方向の長さ寸法を第１の傾斜面７の軸線方向の長さ寸法よりも大きく形成しているために、従来よりも長い沿面距離を確保することができる。
【００２５】
このため、第２の傾斜面８の軸線方向の長さ寸法を適宜設定することにより、容易かつ確実に当該トランスに要求される所定の沿面距離を確保することが可能になる。
【００２６】
なお、上記実施形態においては、ボビンの巻線部１に、１次巻線（第１巻線）１０を１層だけ巻回した場合に付いてのみ説明したが、本発明はこれに限定されるものではなく、両端のフランジ部２、３間に収納される限りにおいて、１次巻線１０を２層以上巻回する場合にも同様に適用することが可能である。
【符号の説明】
【００２７】
１  巻線部
２  一方のフランジ部
３  フランジ部
６  溝部
７  第１の傾斜面
８  第２の傾斜面
９  凹部
１０  １次巻線（第１巻線）
１０ａ  １次巻線の引き出し線
１１  絶縁テープ（絶縁層）
１２  ２次巻線（第２巻線）
１２ｂ  ２次巻線の巻き始めの１ターン目（巻線部分の端）
【図１】
2016100345.tif 000003
【図２】
2016100345.tif 000004
【図３】
2016100345.tif 000005
【図４】
2016100345.tif 000006
【図５】
2016100345.tif 000007
【図６】
2016100345.tif 000008
【図７】
2016100345.tif 000009
【図８】
2016100345.tif 000010
【図９】
2016100345.tif 000011